(57)【要約】【課題】  組立性が良く、信頼性の高い構造でベース内に保護カバーを設ける。【解決手段】  保護カバー１９を、一端側に取付リング２１，２１を、他端側にスリット２２を設けた矩形のプレート体として、取付リング２１，２１を、ベース２内でのブレードカバー１４に設けた支持具２３，２３間に軸着し、自由端側のスリット２２に、ベース２の内面に形成された連結棒２５を遊挿させてスライド可能に連結して、ブレードカバー１４とベース２内面との間で保護カバー１９を架設すると共に、鋸刃ユニット４の傾動を許容可能とした。【選択図】  図２
2006056038.tif 000002
【特許請求の範囲】
【請求項１】
上部にテーブルを支持するベース内に、回転駆動する円盤状の鋸刃を、前記テーブル上に突出させた状態で、前記テーブルに対して傾動可能且つ任意の角度で固定可能に設ける一方、前記ベース内で前記鋸刃の下方部分を覆うブレードカバーを設け、そのブレードカバーにおける前記鋸刃の開放部よりも下方位置と、前記ベース内面との間に保護カバーを架設したテーブルソーであって、
前記保護カバーを、前記ブレードカバーとベース内面との何れか一方に一端が軸着され、他方に対して自由端が前記鋸刃の傾動に伴ってスライド可能に連結されて、前記鋸刃の傾動を許容するプレート体としたことを特徴とするテーブルソー。
【請求項２】
保護カバーの自由端の連結が、前記ブレードカバーとベース内面との何れかに突設された棒状体と、前記自由端に形成されて前記棒状体に抜け止め状態で遊挿されたスリットとによりなされる請求項１に記載のテーブルソー。
【発明の詳細な説明】
【技術分野】
【０００１】
本発明は、ベース上に支持されるテーブル上に、回転駆動する円盤状の鋸刃を突出させ、テーブル上を摺動させる被切断材を鋸刃によって切断可能としたテーブルソーに関する。
【背景技術】
【０００２】
テーブルソーは、ベースと、ベース上で水平に支持される矩形のテーブルと、テーブルの下方に収容されるモータと、そのモータによって回転駆動し、テーブルを貫通して上方へ突出する鋸刃とからなり、被切断材をテーブル上でスライドさせることで、鋸刃によって被切断材を切断可能となっている（例えば特許文献１参照）。
この鋸刃とモータとを含むユニットは、鋸刃がテーブルと直交する９０°位置から、鋸刃との交差方向で最大４５°まで傾斜可能で、且つ当該範囲の任意の角度で固定可能となっており、この傾動によって被切断材の傾斜切断が行える。
【０００３】
【特許文献１】米国特許第５６１９８９６号明細書
【発明の開示】
【発明が解決しようとする課題】
【０００４】
このようなテーブルソーにおいては、ベース内部で鋸刃の下方部分を覆うブレードカバーが設けられているが、ユニットの傾動を許容すると共に、鋸刃の交換等に伴う着脱を可能とするために、ブレードカバーにおける傾動側の側面は開放されている。よって、通常はこの開放部を覆うために、ブレードカバーとベース内面との間に保護カバーとしてのゴムシートを架設している。しかし、このゴムシートは、剛性がないために取付作業が面倒で組立性が悪い上、伸縮の繰り返しによる劣化で破断するおそれもあり、信頼性に欠けるものとなっている。
【０００５】
そこで、請求項１に記載の発明は、組立性が良く、信頼性の高い構造でベース内に保護カバーを設けることができるテーブルソーを提供することを目的としたものである。
【課題を解決するための手段】
【０００６】
上記目的を達成するために、請求項１に記載の発明は、保護カバーを、ブレードカバーとベース内面との何れか一方に一端が軸着され、他方に対して自由端が鋸刃の傾動に伴ってスライド可能に連結されて、鋸刃の傾動を許容するプレート体としたことを特徴とするものである。
請求項２に記載の発明は、請求項１の目的に加えて、保護カバーの自由端のスライド構造を簡単に形成するために、保護カバーの自由端の連結を、ブレードカバーとベース内面との何れかに突設された棒状体と、自由端に形成されて棒状体に抜け止め状態で遊挿されたスリットとによりなされる構成としたものである。
【発明の効果】
【０００７】
請求項１に記載の発明によれば、簡単な構造で保護カバーを形成できると共に、取付作業も容易となって組立性に優れる。また、プレート体であるから、ゴムシートに比べて耐久性が高く、信頼性も得られる。
請求項２に記載の発明によれば、請求項１の効果に加えて、保護カバーの自由端のスライド構造を簡単に構成でき、鋸刃の傾動に伴う追従もスムーズになされる。
【発明を実施するための最良の形態】
【０００８】
以下、本発明の実施の形態を図面に基づいて説明する。
図１は、本発明のテーブルソーの一例を示す正面及び平面図、図２は内部機構を示す断面図で、テーブルソー１は、平面矩形のベース２の上端に、同じく平面矩形のテーブル３を装着し、ベース２内部に、モータ５を横向きに備えた駆動ユニット４を収容している。駆動ユニット４には、モータ５の駆動によって回転するスピンドル７がモータ５の出力軸６と平行に突設されており、このスピンドル７に、円盤状の鋸刃８を直交状に装着して、鋸刃８の一部をテーブル３を貫通して上方へ前後方向（図１の平面図での上下方向で、下側を前方とする。）に露出させている。９は駆動ユニット４と一体に設けられ、テーブル３の上側で鋸刃８を覆う安全カバーである。
【０００９】
駆動ユニット４は、駆動ユニット４に設けたギヤ軸１０と、ベース２内で固定されたギヤブレード１１との噛合により、テーブル３における刃口部１２を中心に、最大４５°図２での左回転方向へ傾動可能となっており、ギヤ軸１０に設けたハンドル１３を回転操作することで、鋸刃８にその交差方向で任意の角度を付与できるようになっている。調整後は、図示しないロック機構でロックすることで、駆動ユニット４と共に鋸刃８を当該角度で固定できる。１４は、駆動ユニット４と一体でテーブル３の下側で鋸刃８を覆うブレードカバーで、このブレードカバー１４には、鋸刃８の交換等に伴う着脱作業のために、鋸刃８の中央部分を開放する開放部２８が形成されている。
【００１０】
また、テーブル３の前後の側面には、四角筒状のガイドスリーブ１５，１５が固着されると共に、そのガイドスリーブ１５，１５内に、四角形状のスライドバー１６，１６が遊挿されて、スライドバー１６，１６の端部間に、上面をテーブル３の上面と一致させた延長テーブル１７が直交状に固着されている。よって、延長テーブル１７は、テーブル３に当接して連続状となる図１の位置から、スライドバー１６，１６が最大長さ引き出されてテーブル３から最も遠ざかる図２の位置までスライド可能で、図示しない固定機構によって任意の位置で固定可能となっている。この延長テーブル１７上には、鋸刃８と平行な平行定規１８が着脱可能に設けられている。
【００１１】
一方、ベース２内では、ブレードカバー１４とベース２の内面との間に保護カバー１９が設けられている。この保護カバー１９は、図３，４に示すように、合成樹脂で成形された矩形のプレート体で、上面には格子状に補強用のリブ２０，２０・・が突設され、長手方向の一方の側縁の両端には、ブレードカバー１４への取付リング２１，２１が形成されている。また、保護カバー１９の中央近傍には、短手方向にスリット２２が形成されている。
そして、ブレードカバー１４における開放部２８側の側面で、開放部２８の下方位置には、保護カバー１９の長手方向の寸法と略同じ間隔で支持具２３，２３が固着されると共に、その支持具２３の互いの対向面にピン２４が夫々突設されている。一方、支持具２３から所定距離離れたベース２の上面には、保護カバー１９のスリット２２に遊挿可能な棒状体としての連結棒２５が下向きに形成されている。
【００１２】
以上の如く構成されたテーブルソー１においては、保護カバー１９を取り付ける場合、まず取付リング２１，２１を、支持具２３，２３間でピン２４，２４によって軸着させる一方、自由端側では、スリット２２に連結棒２５を遊挿させた状態で連結棒２５にボルト２６とワッシャー２７とを上向きに螺合させる。すると、保護カバー１９は、取付リング２１側では上下方向に回転可能で、自由端側では、ワッシャー２７に抜け止めされ、且つ連結棒２５がスリット２２内を相対的に摺動可能な状態で、ブレードカバー１４とベース２内面との間に架設される。なお、鋸刃８がテーブル３に対して９０°となる直角切断の位置では、保護カバー１９は、軸着される取付リング２１側の端部よりも、連結棒２５のワッシャー２７で抜け止めされる自由端側の方が高くなっている。
【００１３】
よって、直角切断の状態では、図２のように、垂直方向のブレードカバー１４と連結棒２５との間が最も広くなるが、この間で保護カバー１９が略横向きに架設されるため、開放部２８の下側が閉塞され、物や手が入り込むおそれがなくなる。また、鋸刃ユニット４を傾動させた際には、保護カバー１９のスリット２２内を連結棒２５が相対的に摺動することで傾斜しながらブレードカバー１４の傾動を許容し、保護カバー１９は、徐々に狭くなるブレードカバー１４と連結棒２５との間の空間を常に閉塞することができる。そして、４５°傾斜の際には、図２の二点鎖線で示すように、スリット２２の反対側の端部寄りに連結棒２５が位置して、自由端が下方へ向く最大傾斜状態となる。
【００１４】
なお、ここから駆動ユニット４を再び直角切断位置へ戻す際には、上記と逆の動きで保護カバー１９が徐々に傾斜状態を緩めながら追従し、図２の実線位置へ復帰する。鋸刃８の交換等で開放部２８を開放させる必要がある場合は、ボルト２６を取り外せば、保護カバー１９の自由端を連結棒２５から抜き外して開放部２８の下側を開放させることができ、鋸刃８の着脱が可能となる。
【００１５】
このように、上記形態のテーブルソー１によれば、保護カバー１９を、ブレードカバー１４に一端が軸着され、他方に対して自由端が鋸刃８の傾動に伴ってスライド可能に連結されて、鋸刃８の傾動を許容するプレート体としたことで、簡単な構造で保護カバー１９を形成できると共に、取付作業も容易となって組立性に優れる。また、プレート体であるから、ゴムシートに比べて耐久性が高く、信頼性も得られる。
また、保護カバー１９のベース２内面への連結が、ベース２内面に突設された連結棒２５と、保護カバー１９の自由端に形成されて連結棒２５に抜け止め状態で遊挿されたスリット２２とによりなされる構成としたことで、保護カバー１９の自由端のスライド構造を簡単に構成でき、鋸刃８の傾動に伴う追従もスムーズになされる。特にここでは、支持具２３，２３と連結棒２５とによる３点支持である上、ネジ止めは連結棒２５のみで済むため、保護カバー１９の組み付けがより簡単且つ短時間で行えるようになっている。
【００１６】
なお、上記形態では、棒状体となる連結棒とスリットとを１つずつ設けてスライド構造を形成しているが、複数ずつ設けてスライド可能としても差し支えない。また、軸着構造も、取付リングや支持具の数や位置は適宜変更できるし、ピンに代えて一本のロッドで軸着することもできる。さらに、軸着部位をブレードカバー側に、スライド構造をベース内面側に夫々形成しているが、互いに逆側に設けることもできる。
一方、保護カバー自体の構造も上記形態に限らず、金属製や透明な合成樹脂製としても良いし、強度が確保できればリブを省略したり、軽量化のために複数の小孔を形成したりしても良い。
その他、テーブルソー自体の構造も上記形態に限定するものではなく、延長テーブルやガイドスリーブがないテーブルソーであっても本発明は適用可能である。
【図面の簡単な説明】
【００１７】
【図１】テーブルソーの説明図（上が平面、下が正面）である。
【図２】テーブルソーの断面説明図である。
【図３】保護カバーの説明図である。
【図４】Ａ−Ａ線断面図である。
【符号の説明】
【００１８】
１‥テーブルソー、２‥ベース、３‥テーブル、４‥駆動ユニット、５‥モータ、８‥鋸刃、９‥安全カバー、１４‥ブレードカバー、１９‥保護カバー、２２‥スリット、２５‥連結棒、２６‥ボルト、２７‥ワッシャー、２８‥開放部。
【図１】
2006056038.tif 000003
【図２】
2006056038.tif 000004
【図３】
2006056038.tif 000005
【図４】
2006056038.tif 000006